(57)【要約】【課題】寝たきりでない被介護者にも好適なシャワー浴介護装置を提供する。【解決手段】風呂椅子に隣接して配置される、風呂椅子に対応する高さのシャワー浴介護装置１００であって、柔性を有する本体１１０と、本体１１０に接続されるシャワーフック部１２０と、本体１１０の底部に位置していてシャワーフック部１２０に係止されるシャワーヘッドに対応する重さの錘部１３０と、を備え、本体１１０は、気体を封入可能な密閉室又は発泡材とし、シャワーフック部１２０は、本体１１０の側面又は上面に設け、錘部１３０は、そこに例えば浴室などで得られる水又は湯を注入することによって実現する。【選択図】図１
2018015297.tif 000002
【特許請求の範囲】
【請求項１】
風呂椅子に隣接して配置される、前記風呂椅子に対応する高さのシャワー浴介護装置であって、
柔性を有する本体と、
前記本体に接続されるいくつかのシャワーフック部と、
前記本体の底部に位置していて前記シャワーフック部に係止されるシャワーヘッドに対応する重さの錘部と、
を備えるシャワー浴介護装置。
【請求項２】
前記本体は、気体を封入可能な密閉室又は発泡材である、請求項１記載のシャワー浴介護装置。
【請求項３】
前記シャワーフック部は、前記本体の側面又は上面に設けられている、請求項１記載のシャワー浴介護装置。
【請求項４】
前記錘部は、そこに注入された水又は湯である、請求項１記載のシャワー浴介護装置。
【発明の詳細な説明】
【技術分野】
【０００１】
本発明は、シャワー浴介助装置に関し、例えば、空気を入れることによって膨らませた起き上がりこぼしのようなシャワー浴介助装置に関する。
【背景技術】
【０００２】
特許文献１には、被介護者が入浴やシャワー浴を行う場合に、安全な移動、寒さの予防、他人の視線に晒されないようプライバシーの尊重、爽快感の維持、身体の保護などがより十分に図られる入浴介護用クロークが開示されている。具体的には、この入浴介護用クロークは、フード付でクローク形をして防水加工の施された外側部分に対して、内側部分は略相似状を有し、重ねて使用でき、交換可能であり、着脱可能なフード付で、吸湿性がよい。外側部分には、移動のための取手が複数取り付けられる。被介護者は、外側部分と内側部分を重ねて着用することで、顔の周りは開放され、後頭部から身体幹部から下半身の膝下までを覆われる。
【０００３】
【特許文献１】特開２０１４−４２７６２号公報
【発明の開示】
【発明が解決しようとする課題】
【０００４】
しかし、特許文献１に開示されている入浴介護用クロークは、寝たきり被介護者などを対象としている。したがって、寝たきりでない被介護者への利用は不向きである。具体的には、例えば、風呂椅子を利用してシャワー浴をする場合には、フード付でクローク形をしている入浴介護用クロークでは、体を洗う場合に寧ろ邪魔になることがあろう。
【０００５】
そこで、本発明は、寝たきりでない被介護者にも好適なシャワー浴介護装置を提供することを課題とする。
【課題を解決するための手段】
【０００６】
上記課題を解決するために、本発明は、
風呂椅子に隣接して配置される、前記風呂椅子に対応する高さのシャワー浴介護装置であって、
柔性を有する本体と、
前記本体に接続される幾つかのシャワーフック部と、
前記本体の底部に位置していて前記シャワーフック部に係止されるシャワーヘッドに対応する重さの錘部と、
を備える。
【０００７】
本発明によれば、風呂椅子に座った被介護者に対して、シャワーフック部に係止したシャワーヘッドから、シャワー浴を提供することができる。また、風呂椅子に座っている被介助者が本体に接触することで、ケガをするといった事態も生じないという利点がある。
【０００８】
前記本体は、気体を封入可能な密閉室又は発泡材とすることができる。そうすると、前者の場合には、シャワー浴介護装置の使用時にのみ密閉室に空気などの気体を入れればよいので、運搬時の操作性及び保管時の省スペース性の点で利点がある。後者の場合にも、発泡材は相対的に軽量であるので、運搬時の操作性について利点がある。
【０００９】
前記本体は、例えば、樹脂製とすることができる。こうすると、浴室で用いた場合にも、水又は湯に強いという利点がある。
【００１０】
前記シャワーフック部は、前記本体の側面或いは上面、又は、これらの双方に設けることができる。シャワーフック部の数は、一つでもいいし、複数でもよい。シャワーフック部を複数設けると、被介護者の座高の高さに合わせて、シャワーヘッドの係止先を選択することができるし、例えば肩のあたりから湯をかけたい場合、腰のあたりから湯をかけたい場合での使い分けもできる。
【００１１】
前記錘部は、そこに例えば浴室などで得られる水又は湯を注入することで実現することもできる。係る場合には、シャワー浴介護装置の未使用時の軽量化が図れるので、シャワー浴介護装置の運搬時、保管時の点で、更に利点がある。
【図面の簡単な説明】
【００１２】
【図１】本発明の実施形態１の模式的なシャワー浴介護装置の構成図である。
【図２】本発明の実施形態２の模式的なシャワー浴介護装置の構成図である。
【図３】本発明の実施形態３の模式的なシャワー浴介護装置の構成図である。
【符号の説明】
【００１３】
１００  シャワー浴介護装置
１１０  本体
１２０  シャワーフック部
１３０  錘部
１４０  栓部
１５０  開閉部
１６０  仕切部
【発明の実施の形態】
【００１４】
以下、本発明の実施形態について、図面を参照して説明する。
【００１５】
（実施形態１）
図１は、本発明の実施形態１の模式的なシャワー浴介護装置の構成図である。図１には、以下説明する、シャワー浴介護装置１００と、本体１１０と、シャワーフック部１２０と、錘部１３０と、栓部１４０と、開閉部１５０と、仕切部１６０と、を示している。
【００１６】
シャワー浴介護装置１００は、図示しない風呂椅子に隣接して配置される、風呂椅子に対応する高さで、全体的に、樹脂製の装置とすることができる。ここで、介護用の風呂椅子の座面までの高さは、概ね、３５ｃｍ〜５５ｃｍであり、日本人の座高の中間値又は平均値は、男性で約８０ｃｍ〜約１００ｃｍ、女性で約７５ｃｍ〜約９５ｃｍである。このため、シャワー浴介護装置１００は、全体として、例えば、８０ｃｍ〜１５５ｃｍの高さとしている。
【００１７】
なお、シャワー浴介護装置１００は、上記の値よりも座高が高い又は低い人が用いる場合も考えられるので、上記の寸法は、単なる例示であると理解されたい。また、シャワー浴介護装置１００の直径は、これに限定されるものではないが、約２５ｃｍ〜３５ｃｍとしている。もっとも、シャワー浴介護装置１００の概形は、略円筒状としているが、必ずしも略円筒状でなくてもよく、例えば、三角筒状、四角筒状などとしてもよい。
【００１８】
本体１１０は、ポリウレタンフォーム、ポリスチレンフォーム、ポリエチレンフォーム、ポリプロピレンフォームなどの発泡材とすることができる。この場合、本体１１０には、装飾などを施してもよい。或いは、本体は、塩化ビニール樹脂製、ポリプロピレン製など、柔性のある樹脂製で、空気などの気体を封入可能な密閉室とすることもできる。以下、本実施形態では、本体１１０の例として、密閉室の場合を例に説明し、以下、符号１１０は密閉室にも付すこととする。
【００１９】
ここでいう気体とは、密閉室１１０との間で反応しないものであれば、空気に限られるものではない。密閉室１１０は、シャワー浴介護装置１００を浴室で用いることから、水及び湯に強い素材とすべきである。また、介護者又は被介護者が接触することによってけがをすることがないように、硬性がほとんど生じない素材とすべきである。
【００２０】
シャワーフック部１２０は、密閉室１１０に取り付けられていて、図示しないシャワーヘッドが係止される部位である。ここでは、シャワーフック部１２０は、密閉室１１０に対して２つ接続されている例を示しているが、１つであっても、３つ以上であってもよい。なお、本明細書においては、シャワーフック部１２０が密閉室１１０と一体型とされている場合にも、密閉室１１０に取り付けられているものとする。
【００２１】
また、密閉室１１０に対するシャワーフック部１２０の取付位置も、図１に示すような位置に限定されるものではない。シャワーフック部１２０を複数設けると、被介護者の座高の高さに合わせて、シャワーヘッドの係止先を選択することができるし、例えば肩のあたりから湯をかけたい場合と、腰のあたりから湯をかけたい場合とで使い分けもできる。
【００２２】
さらに、シャワーフック部１２０を複数設ける場合に、密閉室１１０の同一高さの位置を取付位置としてもよい。典型的には、２つのシャワーフック部１２０を同一高さに取り付けて、被介護者の両肩に向けて、シャワーからの湯をかけることができる。
【００２３】
また、シャワーフック部１２０は、シャワーヘッドを受ける部分の角度が、それぞれ異なっていてもよいし、同一であってもよい。また、シャワーヘッドを受ける部分が、上下方向に、又は、ユニバーサルに可動としてもよい。さらに、シャワーフック部１２０は、密閉室１１０に例えば上下方向に延びる図示しないレールを設けて、当該レール上で可動としてもよい。こうすると、シャワーからの湯を被介護者の体格などに応じてカスタマイズすることができる。
【００２４】
錘部１３０は、密閉室１１０の底部に位置していて、シャワーフック部１２０に係止されるシャワーヘッドに対応する重さをしている。これは、シャワーフック部１２０にシャワーヘッドを係止しても、シャワー浴介護装置１００が倒れない構成とする意図である。
【００２５】
具体的には、錘部１３０は、例えば、５ｋｇ〜１５ｋｇ程度の重さをしていればよい。なお、図１における、錘部１３０の高さと密閉室１１０の高さとの比率は、単なる例示であり、これとは異なる比率とすることもできる。
【００２６】
なお、錘部１３０は、ポリエチレン、ポリプロピレン、ポリカーボネートなどのように、多少の剛性を有する素材からなるタンクとすることもできる。こうすると、典型的には、浴室などで得られる水又は湯を注入することで、錘部１３０を実現することもできる。なお、錘部１３０であるタンクに注入するものは、浴室以外で得られる水等としてもよいし、例えば、ゲル状のなんらかの物質などとすることもできる。
【００２７】
栓部１４０は、密閉室１１０に設けられており、密閉室１１０に封入された空気が漏れないようにする部位である。栓部１４０は、特に限定されるものではなく、浮き輪などにも利用されている弁付きタイプのものとするとよい。
【００２８】
係る場合には、栓部１４０を通じて密閉室１１０に空気を封入することが考えられる。密閉室１１０に対する栓部１４０の位置は、図１に示すものに限定されず、これよりも上下いずれの位置としてもよい。
【００２９】
本実施形態のシャワー浴介護装置は、密閉部１１０に空気等を入れて膨らませて状態で、被介護者が座る介護用風呂椅子に隣接させて配置すればよい。そして、シャワーフック部１２０に対して、シャワーヘッドのノズル先を被介護者に向ける態様で係止して、シャワーから湯を出せばよい。
【００３０】
こうすると、被介護者は、介護用風呂椅子に座った状態でシャワー浴をすることができる。このため、典型的には、例えば冬場に、被介護者が洗髪する際には、被介護者の肩付近又は腰付近に湯をかけることで、被介護者の洗髪時に湯がかからないことによる体温低下を防止することができる。
【００３１】
また、介護者は、例えば、被介護者の洗髪時後に、介護者の近傍に位置するシャワー浴介護装置１００から、シャワーフック部１２に係止されているシャワーヘッドを把持して、被介護者の頭部に湯をかけて、シャンプーを洗い流すことができる。
【００３２】
こうすると、介護者が、洗髪後にわざわざ、シャワー付近まで移動し、蛇口をひねり、場合によって湯の温度調整をしなければならない、といった面倒な作業が不要となる。
【００３３】
（実施形態２）
図２は、本発明の実施形態２の模式的なシャワー浴介護装置の構成図である。図２に示すシャワー浴介護装置１００は、図１に示すシャワー浴介護装置１００に対して、錘部１３０の構成を変更している。図２には、図１に示した部位の他に、以下説明する、開閉部１５０と仕切部１６０とを示している。
【００３４】
開閉部１５０は、水又は湯などを密閉室１１０に注入する部位である。密閉室１１０に注入された水等は、以下説明する仕切部１６０を通過して、錘部１３０として機能することになる。開閉部１５０は、図２の場合には、密閉室１１０の上部に設けられている。
【００３５】
開口部１５０は、開口端から数ｃｍほど離れた位置で、一方に凹部が設けられ、他方に凸部が設けられ、これらが相互に嵌合可能とされた構造とされている。これらが嵌合しているときは閉状態であり、密閉室１１０の密閉状態が維持される。一方、これらの嵌合が解除されたるときは開状態となる。開口部１５０には、開状態と閉状態とを切り替えるために、例えばスライド式の開閉つまみを設けてもよい。
【００３６】
仕切部１６０は、密閉室１１０と錘部１３０とを仕切る部位である。仕切部１６０は、中央部分に貫通孔が形成された円盤状をしており、円周部は、シャワー浴介護装置１００の内壁に接続されている。
【００３７】
開閉部１５０を通じて注入された水等は、仕切部１６０に形成された貫通孔を通じて、錘部１３０に到達する。このため、当該水等が、錘部１３０として機能することになる。もっとも、仕切部１６０を設けることは必須ではなく、密閉室１１０と錘部１３０との境界部分に、水等の注入量の目安となる目印を付すことで仕切部１６０を割愛することもできる。
【００３８】
また、開閉部１５０を設けることで、栓部１４０自体を割愛して、開閉部１５０に栓部の機能を持たすこともできる。係る場合には、開閉部１５０が開状態のときに、ここから空気等を入れて、その後に開閉部１５０を閉状態にして封止すればよい。
【００３９】
（実施形態３）
図３は、本発明の実施形態３の模式的なシャワー浴介護装置の構成図である。図３に示すシャワー浴介護装置１００は、図１に示すシャワー浴介護装置１００に対して、シャワーフック部１２０の一方の取り付け位置を、密閉室１１０の上面としたものである。もっとも、図１に示すシャワー浴介護装置１００に対して、密閉室１１０の上面に３つ目のシャワーフック部１２０を設けることも可能である。
【００４０】
図１に示すシャワー浴介護装置は、典型例として、被介護者の肩付近又は腰付近に湯をかける場合を例に説明した。これに加えて、図３に示すシャワー浴介護装置は、被介護者の洗髪時後に、シャワーヘッドを密閉室１１０の上面に位置するシャワーフック部１２０に係止すれば、被介護者の頭部に湯があたり、介護者が両手を使ってシャンプーを洗い流すことができる。
【００４１】
（他の実施形態）
以上、本発明の各実施形態では、種々のシャワー浴介護装置１００について説明したが、例えば、背もたれのあるタイプの風呂椅子については、当該背もたれの裏側、すなわち、被介護者の背中の当たらない側に、吸盤、耐水性のある両面テープ、又は、耐水性のある接着剤などを取付部として、これを介して、シャワーフック部１２０を取り付けることもできる。
【００４２】
或いは、当該背もたれの裏側とシャワーフック部１２０との一方を雄型とし、他方を雌型とした接続部を設けることで、これを通じてシャワーフック部１２０を当該背もたれに取り付けることも一法である。この際、シャワーフック部１２０は、高さ調整が可能なタイプとすると、被介護者の肩のあたりから湯をかけたい場合、腰のあたりから湯をかけたい場合で高さ調整をして使うこともできる。
【００４３】
したがって、本発明の他の実施形態のシャワー浴介護装置１００の場合は、シャワーフック部１２０と、シャワーフック部１２０を取付対象に取り付けるための取付部とを備えることになる。
【００４４】
また、シャワーフック部１２０の取り付け対象は、風呂椅子の背もたれに限定されるものではなく、例えば、浴槽の側面、又は、縁の上面などとすることもできる。
【００４５】
以上、本発明の各実施形態では、種々のシャワー浴介護装置１００について説明したが、各実施形態の特定部分を、他の実施形態の対応部分と差し替えることもできる。
【図１】
2018015297.tif 000003
【図２】
2018015297.tif 000004
【図３】
2018015297.tif 000005
【手続補正書】
【提出日】平成29年1月11日(2017.1.11)
【手続補正１】
【補正対象書類名】特許請求の範囲
【補正対象項目名】全文
【補正方法】変更
【補正の内容】
【特許請求の範囲】
【請求項１】
風呂椅子に隣接して配置される、前記風呂椅子に対応する高さのシャワー浴介護装置であって、
気体を封入可能な密閉室又は発泡材からなる本体と、
前記本体に取り付けられていてシャワーヘッドが係止されるいくつかのシャワーフック部と、
前記本体の底部に位置していて前記シャワーヘッドに対応する重さの錘部と、
を備えるシャワー浴介護装置。
【請求項２】
前記シャワーフック部は、前記本体の側面又は上面に設けられている、請求項１記載のシャワー浴介護装置。
【請求項３】
前記錘部は、そこに注入された水又は湯である、請求項１記載のシャワー浴介護装置。